(57)【特許請求の範囲】
【請求項１】
所定の企画に係る企画期間および企画内容情報を含むデータを外部装置から入力するデータ入力部と、
前記所定の企画に係る前記企画期間および前記企画内容情報を含むデータから前記企画期間および前記企画内容情報を解析するデータ解析部と、
前記データ解析部により解析された前記所定の企画に係る企画期間および前記データ解析部により解析された前記所定の企画に係る企画内容情報を組み合わせて、前記所定の企画の告知に係るコンテンツとして企画の開始を示す文字とともに企画開始までの時間を含む開始告知コンテンツを生成するコンテンツ生成部と、
前記データ解析部により解析された前記企画期間に含まれる企画開始時間の所定時間前から当該企画開始時間まで前記所定の企画の前記開始告知コンテンツを再生するタイムスケジュールを作成するタイムスケジュール作成部と、
前記コンテンツ生成部で生成した前記所定の企画の告知に係るコンテンツを前記タイムスケジュールに従って表示部に対して配信して再生表示させる再生制御部と、
を備えることを特徴とする情報表示システム。
【請求項２】
前記コンテンツ生成部は、前記データ解析部により解析された前記所定の企画に係る企画期間および前記データ解析部により解析された前記所定の企画に係る企画内容情報を組み合わせて、前記所定の企画の告知に係るコンテンツとして企画の終了を示す文字とともに企画終了までの時間を含む終了告知コンテンツを生成し、
前記タイムスケジュール作成部は、前記データ解析部により解析された前記企画期間に含まれる企画終了時間の所定時間前から当該企画終了時間まで前記所定の企画の前記終了告知コンテンツを再生するタイムスケジュールを作成する、
ことを特徴とする請求項１記載の情報表示システム。
【請求項３】
前記コンテンツ生成部は、前記データ解析部により解析された前記所定の企画に係る企画期間および前記データ解析部により解析された前記所定の企画に係る企画内容情報を組み合わせて、前記所定の企画の告知に係るコンテンツとして企画の実施中を示す文字を含む実施告知コンテンツを生成し、
前記タイムスケジュール作成部は、前記データ解析部により解析された前記企画期間に含まれる企画開始時間から前記所定の企画の前記実施告知コンテンツを再生するタイムスケジュールを作成する、
ことを特徴とする請求項１または２記載の情報表示システム。
【請求項４】
前記コンテンツ生成部は、前記データ解析部により解析された前記所定の企画に係る企画期間および前記データ解析部により解析された前記所定の企画に係る企画内容情報を組み合わせて、前記所定の企画に係るコンテンツとして前記企画内容情報を含む広告コンテンツを生成し、
前記タイムスケジュール作成部は、前記データ解析部により解析された前記企画期間に含まれる企画開始時間の所定時間前から企画終了時間まで前記所定の企画の前記広告コンテンツを再生するタイムスケジュールを作成する、
ことを特徴とする請求項１ないし３のいずれか一記載の情報表示システム。
【請求項５】
前記再生制御部は、前記企画の告知に係るコンテンツの配信が終了した場合、予め設定されているタイムスケジュール上で前記企画の告知に係るコンテンツの配信が終了した時刻に設定されている他のコンテンツを配信する、
ことを特徴とする請求項１ないし４のいずれか一記載の情報表示システム。
【発明の詳細な説明】
【技術分野】
【０００１】
本発明の実施形態は、情報表示システムに関する。
【背景技術】
【０００２】
広告、イベント、お知らせ等のコンテンツを不特定者に提示する仕組みとして、表示装置等のサイネージ端末にデジタル化されたコンテンツを表示再生させる情報表示システム、いわゆるデジタルサイネージシステムが知られている。
【発明の概要】
【発明が解決しようとする課題】
【０００３】
ところで、デジタルサイネージシステムでは、予め用意したコンテンツを指定したスケジュールやユーザ操作に従ってサイネージ端末におけるコンテンツの表示再生を行っている。
【０００４】
しかしながら、従来のデジタルサイネージシステムでは、コンテンツの表示再生の開始時にサイネージ端末の近傍に存在する顧客や、コンテンツの表示再生中にサイネージ端末の近傍に到達する顧客には有効なものとなっているが、コンテンツの表示再生の開始前にサイネージ端末から離れてしまう顧客に対しては有効ではない、という問題がある。
【課題を解決するための手段】
【０００５】
実施形態の情報表示システムは、所定の企画に係る企画期間および企画内容情報を含むデータを外部装置から入力するデータ入力部と、前記所定の企画に係る前記企画期間および前記企画内容情報を含むデータから前記企画期間および前記企画内容情報を解析するデータ解析部と、前記データ解析部により解析された前記所定の企画に係る企画期間および前記データ解析部により解析された前記所定の企画に係る企画内容情報を組み合わせて、前記所定の企画の告知に係るコンテンツとして企画の開始を示す文字とともに企画開始までの時間を含む開始告知コンテンツを生成するコンテンツ生成部と、前記データ解析部により解析された前記企画期間に含まれる企画開始時間の所定時間前から当該企画開始時間まで前記所定の企画の前記開始告知コンテンツを再生するタイムスケジュールを作成するタイムスケジュール作成部と、前記コンテンツ生成部で生成した前記所定の企画の告知に係るコンテンツを前記タイムスケジュールに従って表示部に対して配信して再生表示させる再生制御部と、を備える。
【図面の簡単な説明】
【０００６】
【図１】図１は、実施形態のサイネージシステムの概略構成を示すブロック図である。
【図２】図２は、サイネージ端末装置の外観正面図である。
【図３】図３は、サイネージ端末装置の概略構成を示すブロック図である。
【図４】図４は、情報配信サーバの概略構成を示すブロック図である。
【図５】図５は、テンプレートデータベースに蓄積されるデータの構成を示す図である。
【図６】図６は、タイムセール用の画面テンプレートＤの概要を示す模式図である。
【図７】図７は、コンテンツデータベースに蓄積されるデータの構成を示す図である。
【図８】図８は、情報配信サーバの機能的構成を示すブロック図である。
【図９】図９は、情報配信サーバにおける処理動作の流れを示すフローチャートである。
【図１０】図１０は、図９の具体的な処理の一例を説明するための模式図である。
【発明を実施するための形態】
【０００７】
図１は、本実施形態にかかるサイネージシステム１０の概略構成を示すブロック図である。以下の説明では、本実施形態にかかる情報表示システムであるサイネージシステム１０が量販店に設けられた場合について説明する。
【０００８】
本実施形態にかかるサイネージシステム１０は、情報配信サーバ１１と、複数のサイネージ端末装置１４とを主体に構成されている。また、サイネージシステム１０は、複数のＰＯＳ（Point  Of  Sale）端末１５と、外部装置であるストアサーバ１６と、を備えている。
【０００９】
情報配信サーバ１１は、構内ＬＡＮ（Local  Area  Network）等の通信ネットワーク１２を介してサイネージ端末装置１４に接続されており、商品の広告情報やイベントの情報などのコンテンツデータをサイネージ端末装置１４に対して配信、またはコンテンツデータをサイネージ端末装置１４からのアクセスによって取得させる。
【００１０】
サイネージ端末装置１４は、店舗の敷地内（商品を販売する商品売場や、店舗の入口など）に設置され、通信ネットワーク１２を介して情報配信サーバ１１から受信または取得したコンテンツデータを再生して表示する。
【００１１】
ストアサーバ１６は、商品コード、売価情報、商品名情報、特売価格情報、特売期間情報などのＰＯＳマスタデータやＰＯＳ端末１５から送られてくる売上データに基づいて売上管理を行う。
【００１２】
また、ストアサーバ１６は、商品コード，売価情報，商品名情報，特売価格情報，特売期間情報などのＰＯＳマスタデータを情報配信サーバ１１に出力する。特に、ストアサーバ１６は、商品コード，特売価格情報，特売期間情報などを含むタイムセール情報を新規に登録した場合や更新した場合に、当該タイムセール情報を情報配信サーバ１１に出力する。
【００１３】
各ＰＯＳ端末１５は、店舗の会計場所などに設置され、通信ネットワーク１２を介してストアサーバ１６との間でＰＯＳマスタデータ（商品コード，売価情報，商品名情報，特売価格情報，特売期間情報など）の送受信を行う。各ＰＯＳ端末１５は、ＰＯＳマスタデータを用いることによって、客が購入する商品の登録および決済を行う。
【００１４】
次に、サイネージ端末装置１４について説明する。図２は、サイネージ端末装置１４の外観正面図である。図２に示すように、サイネージ端末装置１４は、液晶ディスプレイあるいはプラズマディスプレイなどとして構成されたディスプレイユニット２１と、各種チケット，クーポン等を印刷して発行するプリンタユニット２２と、ディスプレイユニット２１，プリンタユニット２２を保持する筐体部２４と、を備えている。
【００１５】
筐体部２４の上部には、人物を撮影して画像認識を行い、人物の年齢層を特定し、配信する情報の種類を制御する等の用途に用いられるカメラユニット２５が内蔵されている。また、筐体部２４の下部には、ＢＧＭや広告音声等の各種音響出力を行うスピーカユニット２６が内蔵されている。なお、画像認識等の処理は、サイネージ端末装置１４で行うことなく、情報配信サーバ１１等の上位サーバで行っても良い。
【００１６】
図３は、サイネージ端末装置１４の概略構成を示すブロック図である。図３に示すように、サイネージ端末装置１４は、上述したディスプレイユニット２１、プリンタユニット２２、カメラユニット２５、およびスピーカユニット２６の他、当該サイネージ端末装置１４全体を制御するコントローラ３１と、ユーザが各種操作を行うための操作部３２と、通信ネットワーク１２を介して情報配信サーバ１１との間で通信を行うためのネットワーク通信インタフェース（ＩＦ）３３と、コンテンツデータなどの各種データを記憶する外部記憶装置３５と、を備えている。外部記憶装置３５は、ハードディスク装置（ＨＤＤ：Hard  Disk  Drive）やＳＳＤ（Solid  State  Drive）装置などで実現される。
【００１７】
ここで、コントローラ３１は、当該コントローラ３１全体を制御するＭＰＵ（Micro  Processing  Unit）３６と、ＭＰＵ３６が動作するための制御プログラム等を格納したＲＯＭ（Read  Only  Memory）３７と、各種データを一時的に記憶するＲＡＭ（Random  Access  Memory）３８と、を備えている。そして、コントローラ３１は、ＭＰＵ３６がＲＯＭ３７に格納された制御プログラムを実行することにより、通信ネットワーク１２を介して情報配信サーバ１１から配信されたコンテンツデータを再生して、再生したコンテンツデータをディスプレイユニット２１に表示する。また、操作部３２は、各種スイッチ、ボタン等で構成したり、タッチパネルとしてディスプレイユニット２１と一体に構成したりしても良い。
【００１８】
このような構成により、サイネージ端末装置１４は、基本的には、情報配信サーバ１１で再生スケジュールとして予め設定された複数のコンテンツデータを受信または取得する。そして、サイネージ端末装置１４は、ディスプレイユニット２１を用いて、コンテンツデータとして広告する商品（以下、「広告商品」という場合がある。）に関する広告情報（広告商品を撮影した動画像や、広告商品を紹介または説明する文章など）を表示したり、スピーカユニット２６を用いて、広告商品を紹介または説明する音声を出力したりする。
【００１９】
次に、情報配信サーバ１１について説明する。図４は、情報配信サーバ１１の概略構成を示すブロック図である。図４に示すように、情報配信サーバ１１は、当該情報配信サーバ１１全体を制御するコントローラ４１と、ユーザが各種操作を行うためのキーボードやマウス等を有する操作部４２と、通信ネットワーク１２を介してサイネージ端末装置１４との間で通信を行うためのネットワーク通信インタフェース（ＩＦ）４３と、各種データや制御プログラムを記憶する外部記憶装置４４と、液晶ディスプレイとして構成されたディスプレイユニット４５と、を備えている。外部記憶装置４４は、ハードディスク装置（ＨＤＤ：Hard  Disk  Drive）やＳＳＤ（Solid  State  Drive）装置などで実現される。
【００２０】
ここで、コントローラ４１は、当該コントローラ４１全体を制御するＭＰＵ４６と、ＭＰＵ４６が動作するための制御プログラム等を格納したＲＯＭ４７と、各種データを一時的に記憶するＲＡＭ４８と、を備えている。
【００２１】
即ち、コントローラ４１は、ＭＰＵ４６がＲＯＭ４７や外部記憶装置４４などに格納される制御プログラムをＲＡＭ４８に展開して実行することにより、各種構成要素の動作を制御するとともに、ネットワーク通信ＩＦ４３および通信ネットワーク１２を介して接続されるストアサーバ１６やサイネージ端末装置１４との間で上記ＰＯＳマスタデータ（商品コード，売価情報，商品名情報，特売価格情報，特売期間情報など）や各サイネージ端末装置１４に配信するコンテンツデータなどの各種データを送受信する動作を制御するものである。
【００２２】
外部記憶装置４４は、素材データベースＤＢ１と、テンプレートデータベースＤＢ２と、コンテンツデータベースＤＢ３を格納している。
【００２３】
素材データベースＤＢ１は、例えば、商品を客に広告するための画像（例えば、商品を撮影した動画像や静止画像）を素材データとして、当該商品の商品コードに対応付けて記憶する。また、素材データベースＤＢ１は、例えば、ストアサーバ１６から受信するタイムセール情報に対応して、その商品がタイムセールの対象であることを示す文字（「タイムセール！」など）や、タイムセールにおける商品の特売価格を示す文字（「１００円」など）などを素材データとして記憶する。
【００２４】
テンプレートデータベースＤＢ２は、商品の販売促進に係わるイベントである優待企画の内容などに特化したデジタルサイネージのコンテンツを編集するのに必要な画面テンプレートを蓄積する。
【００２５】
図５は、テンプレートデータベースＤＢ２に蓄積されるデータの構成を示す図である。図５に示すように、テンプレートデータベースＤＢ２には、レコード番号順に、企画ＩＤと企画名とテンプレートデータとが記述されたテンプレートデータレコードが蓄積されている。企画ＩＤは、対応する企画名で特定される優待企画を識別するための情報である。
【００２６】
すなわち図５に示す例では、レコード番号［１］のレコードに、キャンペーン企画の企画ＩＤ及び企画名と画面テンプレートＡとが記述され、レコード番号［２］のレコードに、フロア企画の企画ＩＤ及び企画名と画面テンプレートＢとが記述され、レコード番号［３］のレコードに、カタログ企画の企画ＩＤ及び企画名と画面テンプレートＣとが記述され、レコード番号［４］のレコードに、タイムセール企画の企画ＩＤ及び企画名と画面テンプレートＤとが記述されている。
【００２７】
画面テンプレートは、サイネージ端末装置１４のディスプレイユニット２１に表示する画面表示デザインを示すものであって、仕様に基づいてデータを設定する。ここで、仕様とは、サイネージ端末装置１４のディスプレイユニット２１に対するコンテンツデータの表示の際に、所定の領域に正しくコンテンツデータが設定されるようにするものである。例えば、ＸＡＭＬ（アプリケーションソフトのユーザーインターフェースを記述するための言語仕様）を利用した場合、コンテンツの素材データを設定する要素名は共通の要素基底名とインデックス（例えば、基底名Itemとすると、Item01,Item02,・・・）で記載する。
【００２８】
例えば、図６は、タイムセール用の画面テンプレートＤの概要を示す模式図である。図６に示すように、画面テンプレートＤには、タイムセール広告用の広告コンテンツを表示する広告エリアＸと、タイムセール告知用の告知コンテンツを表示する告知エリアＹとが設けられている。
【００２９】
広告エリアＸは、タイムセールの対象商品やタイムセールにおける商品の特売価格等を表示するエリアである。告知エリアＹは、タイムセールの開始までの時間、タイムセールの実施中、タイムセールの終了までの時間を選択的に表示するエリアである。
【００３０】
コンテンツデータベースＤＢ３は、後述する情報配信サーバ１１における処理動作（図９参照）により作成されたコンテンツデータなどを蓄積する。
【００３１】
図７は、コンテンツデータベースＤＢ３に蓄積されるデータの構成を示す図である。図７に示すように、コンテンツデータベースＤＢ３には、コンテンツを識別する識別情報としてコンテンツＩＤと、当該コンテンツＩＤにより識別されるコンテンツのコンテンツ名と、当該コンテンツＩＤにより識別されるコンテンツデータと、が蓄積されている。
【００３２】
次に、情報配信サーバ１１の機能的構成について図８を用いて説明する。図８は、情報配信サーバ１１の機能的構成を示すブロック図である。
【００３３】
図８に示すように、情報配信サーバ１１のコントローラ４１のＭＰＵ４６は、ＲＯＭ４７や外部記憶装置４４などに格納される制御プログラムをＲＡＭ４８に展開して実行することにより、データ入力部４１１、データ解析部４１２、コンテンツ生成部であるタイムセール広告生成部４１３、コンテンツ生成部であるタイムセール告知生成部４１４、タイムスケジュール作成部４１５、再生制御部４１６として機能する。
【００３４】
データ入力部４１１は、サイネージ端末装置１４においてタイムセール広告（即ち、再生スケジュールで予め設定された広告コンテンツとは異なるタイムセール情報を含む広告コンテンツの再生）用の広告コンテンツを生成するのに必要なデータ（タイムセール情報）をストアサーバ１６から入力するものである。ここで、タイムセール情報は、上述したように、商品コード，特売価格情報，特売期間情報などから構成される情報である。
【００３５】
データ解析部４１２は、ストアサーバ１６から送信されたタイムセール情報からタイムセール開始時間、タイムセール終了時間、商品情報（商品名、特売価格）を解析する。より詳細には、データ解析部４１２は、タイムセール情報の特売期間情報から企画期間であるタイムセール開始時間およびタイムセール終了時間を解析する。また、データ解析部４１２は、タイムセール情報の商品コードおよび特売価格情報から企画内容情報である商品情報（商品名、特売価格）を解析する。
【００３６】
タイムセール広告生成部４１３は、データ入力部４１１に対してストアサーバ１６からタイムセール情報が入力した場合、データ解析部４１２におけるタイムセール情報の解析結果を組み合わせて、タイムセール用の画面テンプレートＤの広告エリアＸを構成するものであるタイムセール広告用の広告コンテンツを生成するものである。
【００３７】
具体的には、タイムセール広告生成部４１３は、ストアサーバ１６からタイムセール情報がデータ入力部４１１に入力した場合、データ解析部４１２におけるタイムセール情報の解析結果を組み合わせて、タイムセールの対象商品を客に広告するための画像（例えば、商品を撮影した動画像や静止画像など）およびその画像上に重畳させて表示するテロップを、サイネージ端末装置１４のディスプレイユニット２１に表示させるための広告コンテンツを生成する。なお、上記テロップとしては、例えば、タイムセールの対象商品が「黒毛和牛  １００ｇ」である場合に、その商品がタイムセールの対象であることを示す文字（「タイムセール！」など）や、タイムセールにおける商品の特売価格を示す文字（「１００円」など）などが挙げられる。
【００３８】
また、タイムセール告知生成部４１４は、データ入力部４１１に対してストアサーバ１６からタイムセール情報が入力した場合、データ解析部４１２におけるタイムセール情報の解析結果を組み合わせて、タイムセール用の画面テンプレートＤの告知エリアＹを構成するものであるタイムセール用の告知コンテンツを生成するものである。
【００３９】
具体的には、タイムセール告知生成部４１４は、ストアサーバ１６からタイムセール情報がデータ入力部４１１に入力した場合、データ解析部４１２におけるタイムセール情報の解析結果を組み合わせて、開始告知コンテンツ、実施告知コンテンツ、終了告知コンテンツを生成する。開始告知コンテンツは、タイムセールの開始までの時間を客に告知するためのテロップをサイネージ端末装置１４のディスプレイユニット２１に表示させるためのものである。実施告知コンテンツは、タイムセールを実施中であることを客に告知するためのテロップをサイネージ端末装置１４のディスプレイユニット２１に表示させるためのものである。終了告知コンテンツは、タイムセールの終了までの時間を客に告知するためのテロップをサイネージ端末装置１４のディスプレイユニット２１に表示させるためのものである。
【００４０】
なお、上記テロップとしては、例えば、開始告知コンテンツにおいては、タイムセールの開始を示す文字（「タイムセールの開始まで」など）とともに現在時刻からスクリプトで処理したタイムセールの開始までの時間などが挙げられる。また、実施告知コンテンツにおいては、タイムセールの実施中を示す文字（「タイムセール実施中！！」など）などが挙げられる。さらに、終了告知コンテンツにおいては、タイムセールの終了を示す文字（「タイムセールの終了まで」など）とともに現在時刻からスクリプトで処理したタイムセールの終了までの時間などが挙げられる。
【００４１】
タイムスケジュール作成部４１５は、データ解析部４１２によって解析されたタイムセール開始時間およびタイムセール終了時間からコンテンツを流すタイムスケジュールを作成する。具体的には、開始告知コンテンツの開始時間は、下記の式に従うものとする。ただし、設定時間は予め定められたものであり、例えば“５分”で規定されている場合には、タイムセール開始時間の５分前から開始告知コンテンツおよび広告コンテンツがサイネージ端末装置１４のディスプレイユニット２１に再生表示されることになる。
開始告知コンテンツの開始時間＝タイムセール開始時間−設定時間
【００４２】
また、終了告知コンテンツの開始時間は、下記の式に従うものとする。ただし、設定時間は予め定められたものであり、例えば“２分”で規定されている場合には、タイムセール終了時間の２分前から終了告知コンテンツおよび広告コンテンツがサイネージ端末装置１４のディスプレイユニット２１に再生表示されることになる。
終了告知コンテンツの開始時間＝タイムセール終了時間−設定時間
【００４３】
再生制御部４１６は、サイネージ端末装置１４のディスプレイユニット２１に広告表示を行わせるための処理を実行するものである。
【００４４】
より具体的には、再生制御部４１６は、通常時、サイネージ端末装置１４に対して予め設定された再生スケジュールに従った広告コンテンツを配信し、その配信した広告コンテンツの再生を行わせる。また、再生制御部４１６は、ストアサーバ１６からタイムセール情報がデータ入力部４１１に入力した場合には、上記再生スケジュールに従った広告コンテンツに替えて、タイムセール広告生成部４１３が生成したタイムセール広告用の広告コンテンツおよびタイムセール告知生成部４１４が生成したタイムセール用の告知コンテンツをタイムスケジュール作成部４１５によって作成されたタイムスケジュールに従ってサイネージ端末装置１４に対して配信することにより、タイムスケジュール作成部４１５によって作成されたタイムスケジュールに従った広告コンテンツおよび告知コンテンツの再生をサイネージ端末装置１４に行わせる。
【００４５】
また、再生制御部４１６は、サイネージ端末装置１４におけるタイムセール広告用の広告コンテンツおよびタイムセール用の告知コンテンツの再生が終了した場合、サイネージ端末装置１４に対して、再生スケジュール上で上記タイムセール広告用の広告コンテンツおよびタイムセール用の告知コンテンツの再生が終了した時刻に再生設定されている広告コンテンツの再生を行わせる。
【００４６】
即ち、本実施形態の情報配信サーバ１１では、再生スケジュールを守るようにしている。より具体的には、情報配信サーバ１１では、タイムセール広告用の広告コンテンツおよびタイムセール用の告知コンテンツの再生を再生スケジュールに割込ませる際、タイムセール広告用の広告コンテンツおよびタイムセール用の告知コンテンツの再生に従って再生スケジュールにおける各広告コンテンツの再生時間帯を後ろにずらすことなく、タイムセール広告用の広告コンテンツおよびタイムセール用の告知コンテンツの再生に要した時間分だけ再生スケジュールで設定された広告コンテンツのサイネージ端末装置１４における再生時間を削るようにしている。これにより、タイムセール広告用の広告コンテンツおよびタイムセール用の告知コンテンツの再生を行うことによって再生スケジュールで設定された広告コンテンツが営業日中に再生されなくなるような不都合が発生するのを防ぐことができる。
【００４７】
次に、情報配信サーバ１１における処理動作について図９を用いて説明する。図９は、情報配信サーバ１１における処理動作の流れを示すフローチャートである。
【００４８】
図９に示すように、情報配信サーバ１１では、まず、データ入力部４１１が、ストアサーバ１６からタイムセール情報を入力（取得）したか否かを判定する（ステップＳ１）。タイムセール情報が入力したか否かの判定は、例えば特売価格情報および特売期間情報の有無で判定する。
【００４９】
ここで、ストアサーバ１６からタイムセール情報を入力したと判定した場合（ステップＳ１：Ｙｅｓ）、続いて、データ解析部４１２が、ストアサーバ１６から送信されたタイムセール情報からタイムセール開始時間、タイムセール終了時間、商品情報（商品名、特売価格）を解析する（ステップＳ２）。
【００５０】
次いで、タイムセール広告生成部４１３が、データ解析部４１２におけるタイムセール情報の解析結果を組み合わせて、サイネージ端末装置１４で再生表示するためのタイムセール用の画面テンプレートＤの広告エリアＸを構成するものであるタイムセール広告用の広告コンテンツを生成するとともに（ステップＳ３）、タイムセール告知生成部４１４が、データ解析部４１２におけるタイムセール情報の解析結果を組み合わせて、サイネージ端末装置１４で再生表示するためのタイムセール用の画面テンプレートＤの告知エリアＹを構成するものであるタイムセール用の告知コンテンツ（開始告知コンテンツ、実施告知コンテンツ、終了告知コンテンツ）を生成する（ステップＳ４）。
【００５１】
次いで、タイムスケジュール作成部４１５が、データ解析部４１２によってステップＳ２で解析されたタイムセール開始時間およびタイムセール終了時間からコンテンツを流すタイムスケジュールを作成する（ステップＳ５）。
【００５２】
続いて、再生制御部４１６が、サイネージ端末装置１４に対して予め設定された再生スケジュールに従った広告コンテンツに替えて、タイムスケジュール作成部４１５によってステップＳ５で作成されたタイムスケジュールに従って、タイムセール広告生成部４１３が生成したタイムセール広告用の広告コンテンツおよびタイムセール告知生成部４１４が生成したタイムセール用の告知コンテンツをサイネージ端末装置１４に対して配信する（ステップＳ６）。これにより、サイネージ端末装置１４は、タイムセール開始時間およびタイムセール終了時間に従って、広告コンテンツおよび告知コンテンツの再生を行うことができる。
【００５３】
即ち、このステップＳ６の処理では、再生制御部４１６は、データ入力部４１１がストアサーバ１６からタイムセール情報を入力したと判定した場合には、予め設定されている再生スケジュールに従った広告コンテンツに替えて、タイムスケジュール作成部４１５によってステップＳ５で作成されたタイムスケジュールに従って、上記ステップＳ３およびステップＳ４において生成されたタイムセール広告用の広告コンテンツおよびタイムセール用の告知コンテンツを配信し、その配信したタイムセール広告用の広告コンテンツおよびタイムセール用の告知コンテンツの再生を行わせる。
【００５４】
これにより、タイムセール広告用の広告コンテンツおよびタイムセール用の告知コンテンツを受信したサイネージ端末装置１４では、例えば、現在再生している広告コンテンツ（予め設定された再生スケジュール通りの広告コンテンツ）の再生を一時停止し、当該受信したタイムセール広告用の広告コンテンツおよびタイムセール用の告知コンテンツの割込み再生を実行する（図１０参照）。
【００５５】
なお、再生制御部４１６は、サイネージ端末装置１４におけるタイムセール広告用の広告コンテンツおよびタイムセール用の告知コンテンツの配信が終了した場合、サイネージ端末装置１４に対して、再生スケジュール上でタイムセール広告用の広告コンテンツおよびタイムセール用の告知コンテンツの配信が終了した時刻に再生設定されている広告コンテンツを配信して再生を行わせる。
【００５６】
ここで、上記図９の具体的な処理の一例について図１０を用いて説明する。図１０は、図９の具体的な処理の一例を説明するための模式図である。
【００５７】
まず、例えば、データ入力部４１１が、１４：００に、ストアサーバ１６からタイムセール情報を入力した場合について説明する。
【００５８】
この場合、ステップＳ１において、データ入力部４１１が、ストアサーバ１６からタイムセール情報を入力したと判定すると（ステップＳ１：Ｙｅｓ）、データ解析部４１２が、ストアサーバ１６から送信されたタイムセール情報からタイムセール開始時間、タイムセール終了時間、商品情報（商品名、特売価格）を解析する（ステップＳ２）。
【００５９】
続くステップＳ３において、タイムセール広告生成部４１３が、データ解析部４１２におけるタイムセール情報の解析結果を組み合わせて、サイネージ端末装置１４で再生表示するためのタイムセール用の画面テンプレートＤの広告エリアＸを構成するものであってタイムセールの対象商品「黒毛和牛  １００ｇ」の商品名（図１０の符号Ｍ１参照）やその商品を客に広告するための画像（例えば、商品「黒毛和牛  １００ｇ」を撮影した動画像や静止画像）（図１０の符号Ｍ２参照）、およびその画像上に重畳させて表示するその商品がタイムセールの対象であることを示す文字（「タイムセール！」など）（図１０の符号Ｔ１参照）やタイムセールにおける商品の特売価格を示す文字（「１００円」など）（図１０の符号Ｔ２参照）をサイネージ端末装置１４のディスプレイユニット２１に表示させるためのタイムセール広告用の広告コンテンツＡを生成する。
【００６０】
また、ステップＳ４において、タイムセール告知生成部４１４が、データ解析部４１２におけるタイムセール情報の解析結果を組み合わせて、サイネージ端末装置１４で再生表示するためのタイムセール用の画面テンプレートＤの告知エリアＹを構成するものであるタイムセール用の告知コンテンツ（開始告知コンテンツＢ１、実施告知コンテンツＢ２、終了告知コンテンツＢ３）を生成する。例えば、タイムセール告知生成部４１４が生成する開始告知コンテンツＢ１は、タイムセールの開始を示す文字（「タイムセールの開始まで」など）（図１０の符号Ｔ３参照）とともに現在時刻からスクリプトで処理したタイムセールの開始までの時間（図１０の符号Ｔ４参照）を含む。また、タイムセール告知生成部４１４が生成する実施告知コンテンツＢ２は、タイムセールの実施中を示す文字（「タイムセール実施中！！」など）（図１０の符号Ｔ５参照）を含む。また、タイムセール告知生成部４１４が生成する終了告知コンテンツＢ３は、タイムセールの終了を示す文字（「タイムセールの終了まで」など）（図１０の符号Ｔ６参照）とともに現在時刻からスクリプトで処理したタイムセールの終了までの時間（図１０の符号Ｔ７参照）を含む。
【００６１】
続いて、ステップＳ５において、タイムスケジュール作成部４１５が、データ解析部４１２によって解析されたタイムセール開始時間およびタイムセール終了時間からコンテンツを再生するタイムスケジュールを作成する。
【００６２】
この場合、タイムスケジュール作成部４１５は、例えば、図１０に示すように、タイムセール開始の５分前である１４：５５からタイムセール終了時間である１７：００の時間帯において符号Ｍ１で示すタイムセールの対象商品の商品名（「黒毛和牛  １００ｇ」）と符号Ｍ２で示す画像（タイムセールの対象商品「黒毛和牛  １００ｇ」を撮影した動画像または静止画像）と符号Ｔ１で示すテロップ（「タイムセール！」）と符号Ｔ２で示すテロップ（「１００円」）からなるタイムセール広告用の広告コンテンツＡをディスプレイユニット２１に表示するようにタイムスケジュールを作成する。
【００６３】
加えて、タイムスケジュール作成部４１５は、例えば、図１０に示すように、タイムセール開始の５分前である１４：５５からタイムセール開始時間である１５：００の時間帯において符号Ｔ３で示すテロップ（タイムセールの開始を示す文字（「タイムセールの開始まで」など）とともに符号Ｔ４で示すタイムセールの開始までの時間からなる開始告知コンテンツＢ１をディスプレイユニット２１に表示するようにタイムスケジュールを作成する。
【００６４】
また、タイムスケジュール作成部４１５は、例えば、図１０に示すように、タイムセール開始時間である１５：００からタイムセール終了の２分前である１６：５８までの時間帯において符号Ｔ５で示すテロップ（タイムセールの実施中を示す文字（「タイムセール実施中！！」など）からなる実施告知コンテンツＢ２をディスプレイユニット２１に表示するようにタイムスケジュールを作成する。
【００６５】
さらに、タイムスケジュール作成部４１５は、例えば、図１０に示すように、タイムセール終了の２分前である１６：５８からタイムセール終了時間である１７：００の時間帯において符号Ｔ６で示すテロップ（タイムセールの終了を示す文字（「タイムセールの終了まで」など）とともに符号Ｔ７で示すタイムセールの終了までの時間からなる終了告知コンテンツＢ３をディスプレイユニット２１に表示するようにタイムスケジュールを作成する。
【００６６】
続いて、ステップＳ６において、再生制御部４１６が、サイネージ端末装置１４に対して予め設定された再生スケジュールに従った広告コンテンツに替えて、タイムスケジュール作成部４１５によってステップＳ５で作成されたタイムスケジュールに従って、タイムセール広告生成部４１３が生成したタイムセール広告用の広告コンテンツおよびタイムセール告知生成部４１４が生成したタイムセール用の告知コンテンツをサイネージ端末装置１４に対して配信する。これにより、サイネージ端末装置１４において現在再生している広告コンテンツの再生が一時停止され、サイネージ端末装置１４に、ステップＳ３およびステップＳ４において生成されたタイムセール広告用の広告コンテンツおよびタイムセール用の告知コンテンツが配信されることになるので、該タイムセール広告用の広告コンテンツおよびタイムセール用の告知コンテンツの再生をサイネージ端末装置１４に行わせることができる。
【００６７】
なお、この場合、再生制御部４１６は、サイネージ端末装置１４におけるタイムセール広告用の広告コンテンツおよびタイムセール用の告知コンテンツの再生が終了した場合、サイネージ端末装置１４に対して、再生スケジュール上でタイムセール広告用の広告コンテンツおよびタイムセール用の告知コンテンツの再生が終了した時刻に再生設定されている広告コンテンツを配信して、再生を行わせる。
【００６８】
以上説明した実施形態のサイネージシステム１０によれば、コンテンツの表示再生の開始時にサイネージ端末装置１４の近傍に存在する顧客やコンテンツの表示再生中にサイネージ端末装置１４の近傍に到達する顧客には有効なものとなるのみならず、コンテンツの表示再生の開始前にサイネージ端末装置１４から離れてしまう顧客に対しても事前告知できることから有効なものとなっており、サイネージ端末装置１４を効果的に利用して商品の売上アップを図ることができるものとなっている。
【００６９】
なお、本実施形態においては、情報表示システムとして情報配信サーバ１１と、複数のサイネージ端末装置１４とを主体に構成されているサイネージシステム１０を適用するようにしたが、これに限るものではない。例えば、情報表示システムとしてサイネージ端末装置１４を適用して、情報配信サーバ１１における処理動作をサイネージ端末装置１４に実行させるようにしても良い。
【００７０】
本実施形態の情報配信サーバ１１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００７１】
また、本実施形態の情報配信サーバ１１で実行されるプログラムを、インターネット等のネットワークに接続されたコンピュータ上に格納し、ネットワーク経由でダウンロードさせることにより提供するように構成しても良い。また、本実施形態の情報配信サーバ１１で実行されるプログラムをインターネット等のネットワーク経由で提供または配布するように構成しても良い。
【００７２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７３】
１０      情報表示システム
４１１    データ入力部
４１２    データ解析部
４１３，４１４    コンテンツ生成部
４１５    タイムスケジュール作成部
４１６    再生制御部
【先行技術文献】
【特許文献】
【００７４】
【特許文献１】特開２０１０−０７９７７０号公報
【図１】
0005657606.tif 000002
【図２】
0005657606.tif 000003
【図３】
0005657606.tif 000004
【図４】
0005657606.tif 000005
【図５】
0005657606.tif 000006
【図６】
0005657606.tif 000007
【図７】
0005657606.tif 000008
【図８】
0005657606.tif 000009
【図９】
0005657606.tif 000010
【図１０】
0005657606.tif 000011